(57)【要約】【課題】  ホログラムを用いずに、液晶表示素子による表示を立体的に表現して装飾性の高いものを得る。【解決手段】  一対の透明な基板１４、１５の対向面にそれぞれ透明電極１６、１７を設けると共に、一対の基板１４、１５間に液晶１８を封入してなる液晶表示素子１２と、この液晶表示素子１２の下面側に配置され、且つレンズ部２１が設けられたレンズパネル１３とを備え、レンズ部２１を透明電極１６、１７同士が互いに対応する領域に対応させた。従って、液晶表示素子１２に情報を表示させたときに、表示された情報そのものをレンズ部２１によって立体的に表現することができ、これにより装飾性の高いものを得ることができる。【選択図】        図２
2005031641.tif 000002
【特許請求の範囲】
【請求項１】
一対の透明な基板の対向面にそれぞれ透明電極を設けると共に、前記一対の基板間に液晶を封入してなる液晶表示素子と、この液晶表示素子の表裏面側のうち、少なくとも一方の外面側に配置されているレンズ部とを備え、
前記レンズ部は、前記液晶表示素子の前記透明電極同士が互いに対応する各領域のうち、少なくとも一部の領域に対応して配置されていることを特徴とする表示装置。
【請求項２】
一対の透明な基板の対向面にそれぞれ透明電極を設けると共に、前記一対の基板間に液晶を封入してなる液晶表示素子と、この液晶表示素子の表裏面側のうち、少なくとも一方の外面側に配置されているレンズ部を有するパネルとを備え、
前記レンズ部は、前記液晶表示素子の前記透明電極同士が互いに対応する各領域のうち、少なくとも一部の領域に対応して配置されていることを特徴とする表示装置。
【請求項３】
前記レンズ部の表裏面側のうち、少なくとも一方の面側に装飾層が設けられていることを特徴とする請求項１または２に記載の表示装置。
【請求項４】
一対の透明な基板の対向面にそれぞれ透明電極を設けると共に、前記一対の基板間に液晶を封入してなる液晶表示素子と、この液晶表示素子の裏面側に配置され、且つレンズ部と装飾層とを有するパネルとを備え、
前記レンズ部および前記装飾層は、前記液晶表示素子の前記透明電極同士が互いに対応する各領域を除く部分に対応して配置されていることを特徴とする表示装置。
【請求項５】
前記レンズ部および前記装飾層は、互いに対応して重なり合っていることを特徴とする請求項３に記載の表示装置。
【請求項６】
前記液晶表示素子は、前記一対の基板間に前記液晶として液晶ポリマーを封入した高分子分散型に構成されていることを特徴とする請求項１〜５のいずれかに記載の表示装置。
【請求項７】
前記装飾層は、カラーインク層と金属層との少なくとも一方を備えていることを特徴とする請求項３または５に記載の表示装置。
【請求項８】
前記装飾層は、多層膜からなる偏光フィルムであることを特徴する請求項３または５に記載の表示装置。
【請求項９】
前記レンズ部は、前記パネルに一体的に設けられていることを特徴とする請求項２〜８のいずれかに記載の表示装置。
【請求項１０】
前記レンズ部は、凸形状と凹形状とのうち、少なくとも一方の形状で形成されていることを特徴とする請求項９に記載の表示装置。
【請求項１１】
前記レンズ部は、断面形状が半円弧形状または多角形状で、前記透明電極同士が互いに対応する各領域とほぼ同じ形状で形成されていることを特徴とする請求項１０に記載の表示装置。
【請求項１２】
前記レンズ部は、断面形状が半円弧形状または多角形状で、前記透明電極同士が互いに対応する各領域に対応する部分にドット状に複数設けられていることを特徴とする請求項１０に記載の表示装置。
【請求項１３】
前記レンズ部は、上面と立上り面とを有する形状に形成され、前記装飾層は、前記レンズ部の前記上面と前記立上り面との少なくとも一方の面に設けられていることを特徴とする請求項９〜１２のいずれかに記載の表示装置。
【請求項１４】
前記レンズ部は半透過状態で着色されていることを特徴とする請求項９〜１３のいずれかに記載の表示装置。
【請求項１５】
前記レンズ部は、形状や色が異なる複数の種類を組み合わせて平面的に配列されていることを特徴とする請求項９〜１４のいずれかに記載の表示装置。
【請求項１６】
前記レンズ部は、形状や色が異なる複数の種類を組み合わせて立体的に積層させた構成であることを特徴とする請求項９〜１４のいずれかに記載の表示装置。
【請求項１７】
前記液晶表示素子を照明するバックライト部材を備えていることを特徴とする請求項１〜１６のいずれかに記載の表示装置。
【請求項１８】
一対の透明な基板の対向面にそれぞれ透明電極を設けると共に、前記一対の基板間に液晶を封入してなる液晶表示素子と、この液晶表示素子の表裏面側のうち、少なくとも一方の外面側に配置されるレンズ部を有するパネルとを備え、前記レンズ部が前記液晶表示素子の前記透明電極同士が互いに対応する各領域のうち、少なくとも一部の領域に対応して配置されている構成の表示装置の製造方法であって、
前記レンズ部を前記パネルに設けるパネル製造工程と、
前記レンズ部を前記液晶表示素子の前記透明電極同士が互いに対応する各領域のうち、少なくとも一部の領域に対応させた状態で、前記パネルを前記液晶表示素子の表裏面側のうち、少なくとも一方の外面側に配置するパネル取付工程と
からなることを特徴とする表示装置の製造方法。
【請求項１９】
前記レンズ部を、一体成形法、印刷法、エンボス加工法のいずれかの方法で前記パネルに設けることを特徴とする請求項１８に記載の表示装置の製造方法。
【請求項２０】
電圧印加用の透明電極を透明な基板上に設けた平板状の液晶表示素子と、
この液晶表示素子の表裏面のうち、少なくとも一方の面側に配置されているレンズ部とを備え、
前記レンズ部と前記透明電極とは、互いに対応した位置に配置されていることを特徴とする表示装置。
【請求項２１】
前記レンズ部と前記透明電極とは、互いに同じ形状をしていることを特徴とする請求項２０に記載の表示装置。
【請求項２２】
前記レンズ部と前記透明電極とは、複数個形成されていることを特徴とする請求項２０に記載の表示装置。
【請求項２３】
前記レンズ部は、前記透明電極一個に対し複数個形成されていることを特徴とする請求項２０に記載の表示装置。
【発明の詳細な説明】
【技術分野】
【０００１】
この発明は、時計や電卓、携帯電話機、自動車の計器類などの各種の機器に適用して有用な表示装置およびその表示装置の製造方法に関する。
【背景技術】
【０００２】
従来、電子腕時計においては、時計ガラスが装着された腕時計ケース内に液晶表示素子を備えた表示装置を時計ガラスに対応させて設け、この表示装置で時刻などの情報を電気光学的に表示し、この表示された情報を腕時計ケースの外部から時計ガラスを通して見ることができるデジタル式のものがある。
【特許文献１】特開２０００−１３７４４４号公報
【０００３】
この特許文献１の電子腕時計に用いられた表示装置は、上下一対の透明な基板の各対向面にそれぞれ透明電極を設けると共に、これら一対の基板間に液晶を封入し、且つ上側の基板の上面と下側の基板の下面とにそれぞれ偏光板を設けてなる液晶表示素子を備え、この液晶表示素子の下側に半透過反射板、蛍光層、およびバックライト素子を順に配置した構成になっている。この場合、蛍光層は、紫外線領域の光に反応して可視光線領域の蛍光を発生するものであり、半透過反射板の下面に設けられている。バックライト素子は、ＥＬ素子（エレクトロルミネッセンス素子）などの面発光型のものであり、発光した光が蛍光層および半透過反射板を透過して液晶表示素子の下面側を照明するように構成されている。
【０００４】
このような電子腕時計の表示装置では、明るい所で外部光が時計ガラスを通して照射され、その外部光が液晶表示素子を透過するので、この透過した一部の光が半透過反射板で反射されることにより、時刻などの情報を視認することができると共に、これ以外の外部光が半透過反射板を透過して蛍光層に照射され、この照射された外部光に含まれている紫外線領域の光によって蛍光層が発光し、この蛍光層で発光した光によっても液晶表示素子が照明され、これにより明るく情報を表示することができる。また、暗い所では、バックライト素子を発光させると、その発光した光が蛍光層および半透過反射板を透過して液晶表示素子の下面側に照射されるので、暗い所でも液晶表示素子に表示された情報を視認することができる。
【発明の開示】
【発明が解決しようとする課題】
【０００５】
しかしながら、このような特許文献１の表示装置では、明るい所で半透過反射板によって外部光を反射すると共に、外部光に含まれている紫外線領域の光に蛍光層が反応して可視光線領域の蛍光を発光することにより、液晶表示素子を照明し、また暗い所でバックライト素子を発光させて液晶表示素子を照明するので、明るい所でも暗い所でも、液晶表示素子に表示された情報を視認することができても、液晶表示素子に表示された情報を平面的に表示するだけであるから、表示形態が単純で装飾性に欠けるという問題がある。
【０００６】
一方、時計の表示装置には、液晶表示素子の裏面側にホログラムシートを配置し、このホログラムシートの画像情報を立体的に表現するようにしたものがある。
【特許文献２】特開２０００−２５８５６９号公報
【０００７】
しかし、この特許文献２の表示装置では、ホログラムシートに予め形成された画像情報を立体的に表現することはできても、液晶表示素子に表示された情報そのものを立体的に表現することができないばかりか、ホログラムシートを用いているため、そのホログラムシートの製作が難しく、面倒であり、高価なものになるという問題がある。
【０００８】
この発明の課題は、ホログラムシートを用いずに、液晶表示素子による表示を立体的に表現することができ、これにより装飾性の高いものを得ることである。
【課題を解決するための手段】
【０００９】
この発明は、上記課題を解決するために、次のような構成要素を備えている。
なお、各構成要素には、後述する各実施形態の項で説明される各要素に付されている図面の参照番号などを括弧と共に付す。
【００１０】
請求項１に記載の発明は、図１〜図５、図１２〜図５２に示すように、一対の透明な基板（１４、１５）の対向面にそれぞれ透明電極（１６、１７）を設けると共に、前記一対の基板間に液晶（液晶１８、液晶ポリマー５６）を封入してなる液晶表示素子（１２、５５）と、この液晶表示素子の表裏面側のうち、少なくとも一方の外面側に配置されているレンズ部（２１、２３、３８、４８、５０、５７、第１レンズ部６０、６２、７０、７３、７６、第２レンズ部６１、６３、６６、７１、７４、７７、第３レンズ部６４、６７、７２、７５、７８、第４レンズ部６５）とを備え、
前記レンズ部が、前記液晶表示素子の前記透明電極同士が互いに対応する各領域のうち、少なくとも一部の領域に対応して配置されていることを特徴とする表示装置である。
【００１１】
請求項２に記載の発明は、図１〜図５、図１２〜図５２に示すように、一対の透明な基板（１４、１５）の対向面にそれぞれ透明電極（１６、１７）を設けると共に、前記一対の基板間に液晶（液晶１８、液晶ポリマー５６）を封入してなる液晶表示素子（１２、５５）と、この液晶表示素子の表裏面側のうち、少なくとも一方の外面側に配置されているレンズ部（２１、２３、３８、４８、５０、５７、第１レンズ部６０、６２、７０、７３、７６、第２レンズ部６１、６３、６６、７１、７４、７７、第３レンズ部６４、６７、７２、７５、７８、第４レンズ部６５）を有するパネル（レンズパネル１３）とを備え、
前記レンズ部が、前記液晶表示素子の前記透明電極同士が互いに対応する各領域のうち、少なくとも一部の領域に対応して配置されていることを特徴とする表示装置である。
【００１２】
請求項３に記載の発明は、図１２〜図５２に示すように、前記レンズ部（２１、２３、３８、４８、５０、５７）の表裏面側のうち、少なくとも一方の面側に装飾層（カラーインク層２８、５８、金属層３２、装飾層３５、３６、４０、４５）が設けられていることを特徴とする請求項２に記載の表示装置である。
【００１３】
請求項４に記載の発明は、図６〜図１１に示すように、一対の透明な基板（１４、１５）の対向面にそれぞれ透明電極（１６、１７）を設けると共に、前記一対の基板間に液晶（１８）を封入してなる液晶表示素子（２５）と、この液晶表示素子の裏面側に配置され、且つレンズ部（２６）と装飾層（２７）とを有するパネル（レンズパネル１３）とを備え、
前記レンズ部および前記装飾層が、前記液晶表示素子の前記透明電極同士が互いに対応する各領域を除く部分に対応して配置されていることを特徴とする表示装置である。
【００１４】
請求項５に記載の発明は、図６〜図１１に示すように、前記レンズ部（２６）および前記装飾層（２７）が、互いに対応して重なり合っていることを特徴とする請求項４に記載の表示装置である。
【００１５】
請求項６に記載の発明は、図３７に示すように、前記液晶表示素子（５５）が、前記一対の基板（１４、１５）間に前記液晶として液晶ポリマー（５６）を封入した高分子分散型に構成されていることを特徴とする請求項１〜５のいずれかに記載の表示装置である。
【００１６】
請求項７に記載の発明は、図１２〜図５２に示すように、前記装飾層（３５、３６、４０、４５）が、カラーインク層（２８）と金属層（３２）との少なくとも一方を備えていることを特徴とする請求項３または５に記載の表示装置である。
【００１７】
請求項８に記載の発明は、図１５および図１６に示すように、前記装飾層が、多層膜からなる偏光フィルム（３４）であることを特徴する請求項３または５に記載の表示装置である。
【００１８】
請求項９に記載の発明は、図１〜図２９、図３３、図３４、図３７〜図５２に示すように、前記レンズ部（２１、２３、２６、３８、４８、５０、５７、第１レンズ部６０、６２、７０、７３、７６、第２レンズ部６１、６３、６６、７１、７４、７７、第３レンズ部６４、６７、７２、７５、７８、第４レンズ部６５）が、前記パネル（レンズパネル１３）に一体的に設けられていることを特徴とする請求項２〜８のいずれかに記載の表示装置である。
【００１９】
請求項１０に記載の発明は、図１〜図５２に示すように、前記レンズ部（２１、２３、２６、３８、４８、５０、５７、第１レンズ部６０、６２、７０、７３、７６、第２レンズ部６１、６３、６６、７１、７４、７７、第３レンズ部６４、６７、７２、７５、７８、第４レンズ部６５）が、凸形状と凹形状とのうち、少なくとも一方の形状で形成されていることを特徴とする請求項９に記載の表示装置である。
【００２０】
請求項１１に記載の発明は、図１〜図３７、図４３〜図５２に示すように、前記レンズ部（２１、２３、３８、４８、５０、５７、第１レンズ部６０、６２、７０、７３、７６、第２レンズ部６１、６３、６６、７１、７４、７７、第３レンズ部６４、６７、７２、７５、７８、第４レンズ部６５）が、断面形状が半円弧形状または多角形状で、前記透明電極（１６、１７）同士が互いに対応する各領域とほぼ同じ形状で形成されていることを特徴とする請求項１０に記載の表示装置である。
【００２１】
請求項１２に記載の発明は、図３８〜図４２に示すように、前記レンズ部（５７）が、断面形状が半円弧形状または多角形状で、前記透明電極（１６、１７）同士が互いに対応する各領域に対応する部分にドット状に複数設けられていることを特徴とする請求項１０に記載の表示装置である。
【００２２】
請求項１３に記載の発明は、図２７〜図２９に示すように、前記レンズ部（３８）が、上面と立上り面とを有する形状に形成され、前記装飾層（４０、第１、第２装飾層４１、４２）が、前記レンズ部の前記上面と前記立上り面との少なくとも一方の面に設けられていることを特徴とする請求項８〜１２のいずれかに記載の表示装置である。
【００２３】
請求項１４に記載の発明は、図４３および図４４に示すように、前記レンズ部（２１、３８、４８）が半透過状態で着色されていることを特徴とする請求項８〜１３のいずれかに記載の表示装置である。
【００２４】
請求項１５に記載の発明は、図４５に示すように、前記レンズ部（第１レンズ部６０、６２、第２レンズ部６１、６３、６６、第３レンズ部６４、６７、第４レンズ６５）が、形状や色が異なる複数の種類を組み合わせて平面的に配列されていることを特徴とする請求項８〜１４のいずれかに記載の表示装置である。
【００２５】
請求項１６に記載の発明は、図４６に示すように、前記レンズ部（第１レンズ部７０、７３、７６、第２レンズ部７１、７４、７７、第３レンズ部７２、７５、７８）が、形状や色が異なる複数の種類を組み合わせて立体的に積層させた構成であることを特徴とする請求項８〜１５のいずれかに記載の表示装置である。
【００２６】
請求項１７に記載の発明は、図１２〜図５２に示すように、前記液晶表示素子（１２、２５、５５）を照明するバックライト部材（バックライト装置２９、バックライト素子３３）を備えていることを特徴とする請求項１〜１６のいずれかに記載の表示装置である。
【００２７】
請求項１８に記載の発明は、図４７〜図４９に示すように、一対の透明な基板（１４、１５）の対向面にそれぞれ透明電極（１６、１７）を設けると共に、前記一対の基板間に液晶（１８）を封入してなる液晶表示素子（１２）と、この液晶表示素子の表裏面側のうち、一方の外面側に配置されるレンズ部（２１）を有するパネル（レンズパネル１３）とを備え、前記レンズ部が前記液晶表示素子の前記透明電極同士が互いに対応する各領域のうち、少なくとも一部の領域に対応して配置されている構成の表示装置の製造方法であって、
前記レンズ部を前記パネルに設けるパネル製造工程と、
前記レンズ部を前記液晶表示素子の前記透明電極同士が対応する各領域のうち、少なくとも一部の領域に対応させた状態で、前記パネルを前記液晶表示素子の表裏面側のうち、一方の外面側に配置するパネル取付工程と
を有することを特徴とする表示装置の製造方法である。
【００２８】
請求項１９に記載の発明は、図４８に示すように、前記レンズ部（２１）を、一体成形法、印刷法、エンボス加工法のいずれかの方法で前記パネル（レンズパネル１３）に設けることを特徴とする請求項１８に記載の表示装置の製造方法である。
【００２９】
請求項２０に記載の発明は、図１〜図６、および図１２〜図５２に示すように、電圧印加用の透明電極（１６、１７）を透明な基板（１４、１５）上に設けた平板状の液晶表示素子（１２、５５）と、この液晶表示素子の表裏面のうち、少なくとも一方の面側に配置されているレンズ部（２１、２３、３８、４８、５０、５７、６０、６２、７０、７３、７６、６１、６３、６６、７１、７４、７７、６４、６７、７２、７５、７８、６５）とを備え、前記レンズ部と前記透明電極とは、互いに対応した位置に配置されていることを特徴とする表示装置である。
【００３０】
請求項２１に記載の発明は、図１〜図６、および図１２〜図５２に示すように、前記レンズ部と前記透明電極とが、互いに同じ形状をしていることを特徴とする請求項２０に記載の表示装置である。
【００３１】
請求項２２に記載の発明は、図１〜図６、および図１２〜図５２に示すように、前記レンズ部と前記透明電極とが、複数個形成されていることを特徴とする請求項２０に記載の表示装置である。
【００３２】
請求項２３に記載の発明は、図３８〜図４２に示すように、前記レンズ部が、前記透明電極一個に対し複数個形成されていることを特徴とする請求項２０に記載の表示装置である。
【発明の効果】
【００３３】
請求項１に記載の発明によれば、液晶表示素子の表裏面側のうち、一方の外面側に配置されるレンズ部を液晶表示素子の透明電極同士が互いに対応する各領域のうち、少なくとも一部の領域に対応させたので、透明電極同士が互いに対応する各領域を選択的に点灯させたときに、この点灯した領域が光透過状態になることにより、この点灯領域によって液晶表示素子に情報を表示させることができると共に、この液晶表示素子に表示された情報をレンズ部によって立体的に表現することができ、これにより液晶表示素子に表示された情報を立体的に表現することができるので、装飾性の高いものを得ることができる。
【００３４】
請求項２に記載の発明によれば、液晶表示素子の表裏面側のうち、一方の外面側にパネルを配置する際に、このパネルに設けられたレンズ部を液晶表示素子の透明電極同士が互いに対応する各領域のうち、少なくとも一部の領域に対応させたので、請求項１に記載の発明と同様、透明電極同士が互いに対応する各領域を選択的に点灯させたときに、この点灯した領域が光透過状態になることにより、この点灯領域によって液晶表示素子に情報を表示させることができると共に、この液晶表示素子に表示された情報をレンズ部によって立体的に表現することができ、これにより液晶表示素子に表示された情報を立体的に表現することができるので、装飾性の高いものを得ることができる。
【００３５】
請求項３に記載の発明によれば、レンズ部の表裏面側のうち、少なくとも一方の面側に装飾層が設けられていることにより、請求項１または２に記載の発明と同様、点灯領域をレンズ部によって立体的に表現することができるほか、特に装飾層によって装飾効果を付加することができ、これにより多彩な装飾効果を得ることができる。
【００３６】
請求項４に記載の発明によれば、レンズと装飾部とを有するパネルを液晶表示素子の裏面側に配置する際、パネルのレンズ部と装飾層とを液晶表示素子の透明電極同士が互いに対応する各領域を除く部分に対応させたので、液晶表示素子の透明電極が対向しない背景に相当する非点灯領域を光透過状態にすることにより、透明電極同士が互いに対応する領域を選択的に点灯させて液晶表示素子に情報を表示させたときも、また液晶表示素子に情報が表示されていないときも、液晶表示素子の背景に相当する非点灯領域に装飾層の一部または全部をレンズ部によって立体的に表現することができ、このため液晶表示素子に情報を表示させても、その表示された情報の邪魔にならずに、液晶表示素子の背景部分に装飾層の一部または全部を立体的に表現することができるので、装飾性の高いものを得ることができる。
【００３７】
請求項５に記載の発明によれば、レンズ部および装飾層が互いに対応して重なり合っていることにより、液晶表示素子に情報を表示させても、この表示された情報の邪魔にならずに、液晶表示素子の背景部分に装飾層の全体をレンズ部によって立体的に表現することができる。
【００３８】
請求項６に記載の発明によれば、液晶表示素子が一対の基板間に液晶として液晶ポリマーを封入した高分子分散型に構成されていることにより、点灯領域または非点灯領域のいずれかが光透過状態になることにより、請求項１または２に記載の発明と同様、液晶表示素子に表示された情報をレンズ部によって立体的に表現することができ、または請求項４に記載の発明と同様、液晶表示素子の背景に相当する部分に装飾層をレンズ部によって立体的に表現することができるほか、特に液晶表示素子が液晶ポリマーを用いた高分子分散型に構成されているから、偏光板を用いずに情報を表示することができ、これにより表示を明るくすることができる。
【００３９】
請求項７に記載の発明によれば、装飾層が半透過性のカラーインク層であれば、このカラーインク層によって点灯領域または非点灯領域をカラーで表現することができ、また装飾層が金属層であれば、この金属層によって点灯領域または非点灯領域を金属調で表現することができ、さらに装飾層がカラーインク層と金属層とを積層した構成であれば、点灯領域または非点灯領域を金属調のカラーで表現することができ、これらによって多彩な加飾表現ができ、より一層、装飾性の高いものを得ることができる。
【００４０】
請求項８に記載の発明によれば、装飾層が多層膜からなる偏光フィルムであることにより、表示された情報またはその背景部分を金属調で表現することができる。すなわち、このときには、液晶表示素子の一対の基板間にツイストネマティク型の液晶が封入され、この液晶表示素子の表裏面にそれぞれ設けられた偏光板が、その吸収軸または透過軸を互いに平行にして配置された状態で、透明電極同士が互いに対応する領域を点灯させて光透過状態にして情報を表示させたときに、液晶表示素子に表示された情報をレンズ部によって立体的に表現すると共に、偏光フィルムによって金属調で表現することができ、これにより高級感のあるものを得ることができる。
【００４１】
請求項９に記載の発明によれば、レンズ部がパネルに一体的に設けられていることにより、請求項２に記載の発明と同様、点灯領域をレンズ部によって立体的に表現することができ、また請求項４に記載の発明と同様、非点灯領域である背景に装飾層をレンズ部によって立体的に表現することができるほか、特にレンズ部をパネルに射出成形またはエンボス加工によって一体に形成することにより、その製作および組立作業が容易になり、安価なものを得ることができる。
【００４２】
請求項１０に記載の発明によれば、レンズ部が、凸形状と凹形状とのうち、少なくとも一方の形状で形成されていることにより、点灯領域または非点灯領域を凸形状または凹形状の立体で表現することができると共に、凸形状と凹形状とを組み合わせて設けることにより、点灯領域または非点灯領域をそれぞれ凸形状と凹形状との両方を組み合わせた複合化された形状で立体的に表現することができる。
【００４３】
請求項１１に記載の発明によれば、レンズ部は、断面形状が半円弧形状または多角形状で、透明電極同士が互いに対応する各領域とほぼ同じ形状で形成されていることにより、光透過状態となる点灯領域をレンズ部によって円弧状または多角状の凸形状または凹形状で立体的に表現することができ、これによっても装飾効果を付加することができる。
【００４４】
請求項１２に記載の発明によれば、レンズ部は、断面形状が半円弧形状または多角形状で、透明電極同士が互いに対応する各領域に対応する部分にドット状に複数設けられていることにより、光透過状態となる点灯領域をドット状に配列された複数のレンズ部によってドット状の立体で表現することができ、これによっても装飾効果を付加することができる。
【００４５】
請求項１３に記載の発明によれば、レンズ部が上面と立上り面とを有する形状に形成され、装飾層がレンズ部の上面と立上り面との少なくとも一方の面に設けられていることにより、レンズ部の上面と立上り面との少なくとも一方に設けられた装飾層によって、色彩的な装飾効果を部分的に付加することができ、このため液晶表示素子による表示形態のバリエーションが豊富になり、これによっても装飾効果を高めることができる。
【００４６】
請求項１４に記載の発明によれば、レンズ部が半透過状態で着色されていることにより、光透過状態となる点灯領域または非点灯領域のいずれかをレンズ部によって立体的に表現する際、レンズ部の着色に応じた色で立体的に表現することができ、これによっても色彩的な加飾ができ、多彩な装飾効果を得ることができる。
【００４７】
請求項１５に記載の発明によれば、レンズ部が形状や色の異なる複数の種類を組み合わせて平面的に配列されていることにより、光透過状態となる点灯領域または非点灯領域のいずれかをレンズ部によって立体的に表現する際、形状や色の異なる複数の種類のレンズ部によって液晶表示素子に表示された情報が複合化されて立体的に表現されるので、より一層、表示形態のバリエーションが豊富になり、多彩な装飾効果を得ることができる。
【００４８】
請求項１６に記載の発明によれば、レンズ部が形状や色の異なる複数の種類を組み合わせて立体的に積層させた構成であることにより、光透過状態となる点灯領域または非点灯領域のいずれかをレンズ部によって立体的に表現する際、形状や色の異なる複数の種類を組み合わせて立体的に積層したレンズ部によって液晶表示素子に表示された情報が複合化されて立体的に表現されるので、請求項１５に記載の発明と同様、表示形態のバリエーションが豊富になり、より一層、多彩な装飾効果を得ることができる。
【００４９】
請求項１７に記載の発明によれば、液晶表示素子を照明するバックライト部材を備えていることにより、点灯領域または非点灯領域のいずれかが光透過状態になることにより、請求項１または２に記載の発明と同様、液晶表示素子に表示された情報をレンズ部によって立体的に表現することができ、または請求項４に記載の発明と同様、液晶表示素子の背景に装飾層をレンズ部によって立体的に表現することができるほか、特にバックライト部材によって液晶表示素子を照明することができるので、明るい所でも暗い所でも、表示された情報またはその背景を明るく表示することができる。
【００５０】
請求項１８に記載の発明によれば、請求項２に記載の表示装置の製造方法であって、レンズ部をパネルに設けるパネル製造工程と、レンズ部を液晶表示素子の一対の透明な基板にそれぞれ設けられた透明電極同士が互いに対応する各領域のうち、少なくとも一部の領域に対応させた状態で、パネルを液晶表示素子の表裏面側のうち、一方の外面側に配置するパネル取付工程とからなることにより、パネルのレンズ部を液晶表示素子の透明電極同士が互いに対応する各領域の一部に確実に対応させて容易に製作することができ、これにより液晶表示素子に情報を表示させたときに、液晶表示素子に表示された情報を立体的に表現することができる。
【００５１】
請求項１９に記載の発明によれば、レンズ部を、一体成形法、印刷法、エンボス加工法のいずれかの方法でパネルに設けることにより、レンズ部をパネルに精度良く設けることができる。この場合、出射成形によりレンズ部を形成する場合には、パネルを成形するときに、レンズ部を同時に形成することができる。また、レンズ部を印刷で形成する場合には、レンズ部の材料として紫外線硬化型の合成樹脂を用いることにより、容易に形成することができる。さらに、レンズ部をエンボス加工で形成する場合には、エンボス用の金型をパネルに押し当てることにより容易に形成することができる。
【００５２】
請求項２０に記載の発明によれば、電圧印加用の透明電極を透明な基板上に設けた平板状の液晶表示素子と、この液晶表示素子の表裏面のうち、少なくとも一方の面側に配置されているレンズ部とを備えており、前記レンズ部と前記透明電極とが互いに対応した位置に配置されているので、液晶表示素子に情報を表示させた際に、この情報が表示された部分を立体的に表示させることができる。
【発明を実施するための最良の形態】
【００５３】
（実施形態１）
以下、図１〜図５を参照して、この発明の表示装置を電子腕時計に適用した実施形態１について説明する。
図１はこの発明の電子腕時計の要部を示した拡大断面図、図２はその表示装置の要部を示した拡大断面図、図３は図２の表示装置の表示パターンを示した正面図、図４は図２のレンズパネルの正面図、図５は図２の表示装置の表示状態を示した正面図である。
この電子腕時計は、図１に示すように、腕時計ケース１を備えている。この腕時計ケース１の上部には、時計ガラス２が装着されており、この腕時計ケース１の内部には、時計モジュール３が収納されている。また、この腕時計ケース１の下部には、裏蓋４が防水リング５を介して取り付けられている。
【００５４】
時計モジュール３は、図１に示すように、時刻などの情報を電気光学的に表示するデジタル機能と、文字板の上方を運針する指針によって時刻を指示するアナログ機能とのうち、少なくともデジタル機能を備えたものである。すなわち、この時計モジュール３は、上部ハウジング６と下部ハウジング７とを備えている。この上部ハウジング６内には、表示装置８が時計ガラス２に対応して配置されており、下部ハウジング７内には、電池９が配置されている。また、上部ハウジング６と下部ハウジング７との間には、回路基板１０が配置されており、この回路基板１０には、表示装置８がインターコネクタ８ａによって電気的に接続されていると共に、電池９が電気的に接続されている。そして、上部ハウジング６と下部ハウジング７とは、下部ハウジング７の下面に配置された地板１１によって互いに取り付けられている。
【００５５】
表示装置８は、図１および図２に示すように、平板状の液晶表示素子１２とレンズパネル１３とを備えている。液晶表示素子１２は、図２に示すように、透明なガラスや透明な合成樹脂からなる上下一対の透明な基板１４、１５を有し、その対向面にそれぞれＩＴＯなどの透明な導電性材料からなる透明電極１６、１７が設けられていると共に、これら一対の基板１４、１５間に液晶１８が封止材１８ａで囲われて封入され、上側の基板１４の上面と下側の基板１５の下面とにそれぞれ偏光板１９、２０がその吸収軸（または透過軸）を所定角度で交差させた状態で設けられ、これにより、電圧が印加された一対の透明電極１６、１７が対向する領域、すなわち、互いに重なり合う点灯領域Ｅ１が電圧印加時に光透過状態となるネガテイブタイプに構成されている。
【００５６】
この場合、一対の透明電極１６、１７のうち、上側の基板１４に設けられた上側の透明電極１６は、図３に示すように、日の字形状のセグメント電極１６ａとドット電極１６ｂとに形成されており、下側の基板１５に設けられた下側の透明電極１７は、セグメント電極１６ａとドット電極１６ｂとにそれぞれ対応するコモン電極に形成されている。また、液晶１８は、捩じれ角度がほぼ９０°のＴＮ型、捩じれ角度がほぼ１２０°のＨＴＮ型、捩じれ角度がほぼ１８０°以上のＳＴＮ型のいずれかのタイプである。この液晶表示素子１２は、上側の基板１４の端部上面が上部ハウジング６の鍔部６ａに下側から当接し、上側の基板１４の端部下面がインターコネクタ８ａによって支持され、この状態で上部ハウジング６内に配置されていると共に、インターコネクタ８ａによって回路基板１０と電気的に接続されている。
【００５７】
レンズパネル１３は、透明または半透明の光透過性を有するフィルムからなり、図２に示すように、その上面に断面形状が半円弧状の凸形状のレンズ部２１が設けられている。すなわち、このレンズ部２１は、上下の透明電極１６、１７同士が互いに対応する各領域のうち、一部の領域つまり上側の透明電極１６のセグメント電極１６ａに対応する領域に対応して設けられており、上側の透明電極１６のドット電極１６ｂに対応する領域に対応する部分には設けられていない。
【００５８】
また、このレンズ部２１は、レンズパネル１３上に紫外線硬化型樹脂をシルク印刷などの印刷によって塗布し、この状態で紫外線を照射させて硬化させることにより、図４に示すように、透明電極１６、１７同士が互いに対応する各領域、つまり上側の透明電極１６のセグメント電極１６ａとほぼ同じ形状に形成されている。この場合、レンズ部２１は、上側の透明電極１６のセグメント電極１６ａよりも少し大きく形成されていても良く、逆に少し小さく形成されていても良く、またセグメント電極１６ａに対して少しずれて設けられていても良い。なお、レンズパネル１３が対向する上部ハウジング６の上面、またはレンズパネル１３の下面は、反射面に形成されている。
【００５９】
このような電子腕時計によれば、明るい所で外部光が時計ガラス２を通して腕時計ケース１内に採り込まれ、この採り込まれた外部光が表示装置８の液晶表示素子１２に照射されるので、液晶表示素子１２を駆動して時刻などの情報を表示することにより、その表示された情報を時計ガラス２を通して腕時計ケース１の外部から視認することができる。すなわち、液晶表示素子１２を駆動して、一対の基板１４、１５の各透明電極１６、１７に選択的に電圧を印加すると、電圧が印加された透明電極１６、１７同士が対応する点灯領域Ｅ１が光透過状態となり、この点灯領域Ｅ１によって図５に示すように時刻などの情報が表示される。
【００６０】
このときには、液晶表示素子１２に照射された外部光のうち、液晶表示素子１２の点灯領域Ｅ１に照射された外部光のみが、その点灯領域Ｅ１に対応する個所の液晶表示素子１２を透過してレンズパネル１３のレンズ部２１に照射され、この照射された光の一部が凸形状のレンズ部２１の表面で反射され、他の一部の光がレンズ部２１に入射してレンズパネル１３の下面側で反射され、この反射された光がレンズ部２１から上方に拡散される。このレンズ部２１で拡散および反射された光が再び上記と逆の光路を経て液晶表示素子１２の上方に放射されるので、図５に示すように、液晶表示素子１２に点灯領域Ｅ１として表示された情報が明るく表示されると共に、この情報がレンズ部２１によって半円弧形状の凸形状の立体で表示される。これにより、液晶表示素子１２に表示された情報そのものを立体的に表現することができ、装飾性の高いものを得ることができる。
【００６１】
なお、上記実施形態１では、レンズパネル１３の上面に凸形状のレンズ部２１を設けた場合について述べたが、これに限らず、例えば図６に示すように、透明または半透明の光透過性を有するシート２４に断面半円弧状の凹形状のレンズ部２３を形成し、このシート２４をレンズパネル１３上に設け、この凹形状のレンズ部２３を、上下の透明電極１６、１７同士が互いに対応する領域のうち、一部の領域つまり上側の透明電極１６のセグメント電極１６ａに対応する領域に対応させた構成でも良い。この場合には、液晶表示素子１２に表示された情報が凹形状のレンズ部２３によって半円弧状の凹形状の立体で表示されるので、実施形態１と同様、表示された情報そのものを立体的に表現することができ、これによっても装飾性の高いものを得ることができる。
【００６２】
（実施形態２）
次に、図７〜図１０を参照して、この発明を電子腕時計に適用した実施形態２について説明する。なお、図１〜図５に示された実施形態１と同一部分には同一符号を付して説明する。
この電子腕時計は、液晶表示素子２５の下側にレンズパネル１３を配置し、このレンズパネル１３の上面に凸形状のレンズ部２６を設け、その下面に装飾層２７を設け、且つ液晶表示素子２５をポジティブタイプに構成した構造であり、これ以外は実施形態１とほぼ同じ構成になっている。
【００６３】
すなわち、この液晶表示素子２５は、図７に示すように、上下一対の透明な基板１４、１５のうち、上側の基板１４の上面と下側の基板１５の下面とにそれぞれ偏光板１９、２０がその吸収軸（または透過軸）をほぼ平行にして設けられ、これにより一対の透明電極１６、１７同士が互いに対向する点灯領域Ｅ１が電圧印加時に光を遮断する光遮断状態となるポジテイブタイプに構成されている。また、レンズパネル１３は、実施形態１と同様、透明または半透明の光透過性を有するフィルムからなり、その上面に緩やかに盛り上がる凸形状のレンズ部２６を一体に形成した構成になっている。
【００６４】
このレンズ部２６は、一対の基板１４、１５の各透明電極１６、１７同士が互いに対向する点灯領域Ｅ１を除く非点灯領域Ｅ２、つまり図９（ａ）に示すように、点灯領域Ｅ１の背景に相当する部分に対応して設けられていると共に、その形状が緩やかに盛り上がる凸形状に形成されている。また、このレンズパネル１３の下面に設けられた装飾層２７は、図７に示すように、カラーインク層からなり、図９（ｂ）に示すように、絵や模様、図形などの絵柄をカラーで表示した構成になっている。この場合、レンズ部２６と装飾層２７とは、図９（ａ）および図９（ｂ）に示すように、レンズパネル１３の上下面にほぼ同じ形状で互いに対応して設けられている。
【００６５】
このような電子腕時計によれば、実施形態１と同様、明るい所では外部光が腕時計ケース１内に採り込まれて表示装置８の液晶表示素子２５に照射されるので、液晶表示素子２５を駆動して時刻などの情報を表示することにより、その表示された情報を時計ガラス２を通して腕時計ケース１の外部から視認することができる。すなわち、液晶表示素子２５を駆動して、一対の基板１４、１５の各透明電極１６、１７に選択的に電圧を印加すると、電圧が印加された透明電極１６、１７同士に対応する点灯領域Ｅ１が光遮断状態となり、この点灯領域Ｅ１によって図１０に示すように時刻などの情報が黒く表示される。
【００６６】
このときには、液晶表示素子２５に照射された外部光のうち、電圧が印加された透明電極１６、１７に対応する点灯領域Ｅ１に照射された外部光のみが、その点灯領域Ｅ１で遮断されるが、この点灯領域Ｅ１以外の非点灯領域Ｅ２に対応する個所では、外部光が液晶表示素子２５、レンズ部２６、およびレンズパネル１３を順に透過して装飾層２７に照射される。この照射された光は、装飾層２７で反射され、この反射光が凸形状のレンズ部２６で拡散され、この拡散された光が液晶表示素子２５を透過して上方に放射される。
【００６７】
これにより、図１０に示すように、非点灯領域Ｅ２である背景部分に、装飾層２７による絵や模様、図形などの絵柄がカラーで表示されると共に、その絵や模様、図形などの絵柄が凸形状のレンズ部２６によって緩やかに盛り上がる状態で立体的に表示される。このため、液晶表示素子２５に情報を黒く表示した状態で、その背景に絵柄をカラーで緩やかに盛り上がる立体で表現することができる。これにより、色彩的な装飾効果を付加することができるので、多彩な装飾効果を得ることができる。
【００６８】
なお、上記実施形態２では、レンズパネル１３の上面にレンズ部２６を設け、レンズパネル１３の下面に装飾層２７を設けたが、これに限らず、例えば図１１に示すように、レンズパネル１３の上面に装飾層２７を設け、この装飾層２７の上面に緩やかに盛り上がる凸形状のレンズ部２６を設けた構造でも良い。このような構造でも、実施形態２と同様、液晶表示素子２５の背景部分に装飾層２７の絵や模様、図形などの絵柄をレンズ部２６によって緩やかに盛り上がる状態で立体的に表現することができる。
また、レンズ部２６は必ずしも凸形状である必要はなく、緩やかに凹んだ凹形状に形成されていても良い。このように形成すれば、装飾層２７の絵柄を緩やかに凹んだ状態で立体的に表現することができる。
【００６９】
（実施形態３）
次に、図１２を参照して、この発明を電子腕時計に適用した実施形態３について説明する。この場合にも、図１〜図５に示された実施形態１と同一部分に同一符号を付して説明する。
この電子腕時計は、レンズパネル１３の下面に装飾層としてカラーインク層２８を設け、このレンズパネル１３の下側にバックライト装置２９を配置した構造で、これ以外は実施形態１と同じ構造になっている。この場合にも、レンズパネル１３の上面には、凸形状のレンズ部２１が液晶表示素子１２の透明電極１６、１７同士が対応する領域、つまり上側の透明電極１６のセグメント電極１６ａに対応して設けられている。
【００７０】
カラーインク層２８は、透明な保護膜中に着色された粒子を混入した光透過性を有するものであり、レンズパネル１３の下面全体に設けられ、透過する光を着色するように構成されている。また、バックライト装置２９は、導光板３０と発光ダイオード（ＬＥＤ）などの発光素子３１とからなり、導光板３０がレンズパネル１３の下面に対応して配置され、発光素子３１が導光板３０の側面に対応して配置され、この状態で発光素子３１が発光すると、その光が導光板３０の側面から内部に入射し、この入射した光が導光板３０で面方向に導かれながら導光板３０の上面から出射されることにより、レンズパネル１３を介して液晶表示素子１２をその下面側から照明するように構成されている。
【００７１】
このような電子腕時計によれば、実施形態１と同様、明るい所では外部光が腕時計ケース１内に採り込まれて表示装置８の液晶表示素子１２に照射されるので、液晶表示素子１２を駆動して時刻などの情報を表示すると、その表示された情報を時計ガラス２を通して腕時計ケース１の外部から視認することができる。すなわち、液晶表示素子１２を駆動して、一対の基板１４、１５の各透明電極１６、１７に選択的に電圧を印加すると、電圧が印加された透明電極１６、１７に対応する点灯領域が光透過状態となり、この点灯領域によって図５に示したように時刻などの情報が表示される。
【００７２】
このときには、液晶表示素子１２に照射された外部光のうち、電圧が印加された透明電極１６、１７に対応する点灯領域に照射された外部光のみが、その点灯領域に対応する個所の液晶表示素子１２を透過してレンズパネル１３のレンズ部２１に照射され、この照射された光の一部が凸形状のレンズ部２１の表面で放射状に反射され、他の一部の光がレンズパネル１３およびカラーインク層２８を透過してバックライト装置２９の導光板３０に照射され、この照射された光が導光板３０で反射されてカラーインク層２８およびレンズパネル１３を透過してレンズ部２１から上方に拡散される。
【００７３】
このレンズ部２１で拡散および反射された光は、再び上記と逆の光路を経て液晶表示素子１２の上方に放射されるので、図５に示したように、点灯領域がカラーインク層２８で着色されて情報として明るく表示されると共に、この情報が凸形状のレンズ部２１によって半円弧形状の凸形状で立体的に表示される。これにより、液晶表示素子１２に表示された情報をカラーで立体的に表現することができるので、色彩が多彩になり、より一層、装飾性の高いものを得ることができる。
【００７４】
また、暗い所では、バックライト装置２９の発光素子３１を点灯させると、その光がカラーインク層２８で着色されて透過し、この透過した光がレンズパネル１３を透過して凸形状のレンズ部２１で拡散され、この拡散された光で液晶表示素子１２の下面が照明される。このため、液晶表示素子１２が駆動されて電圧が印加された透明電極１６、１７に対応する点灯領域が光透過状態となるので、この点灯領域によって図５に示したように時刻などの情報が表示される。
【００７５】
このときにも、上記と同様、カラーインク層２８によって着色されたカラーで液晶表示素子１２の情報が表示されると共に、この表示された情報が凸形状のレンズ部２１によって立体的に表示される。このため、明るい所でも暗い所でも、液晶表示素子１２の点灯領域で表示された情報をカラーで立体的に表現することができ、これにより色彩が多彩な装飾効果を付加することができるので、より一層、多彩な装飾効果を得ることができる。
【００７６】
なお、上記実施形態３では、バックライト装置２９が、レンズパネル１３の下側に配置された導光板３０によって、発光素子３１からの光を面方向に導きながら面発光させて液晶表示素子１２を照明するように構成したが、これに限らず、例えば図１３に示すように、発光素子３１を液晶表示素子１２の側面に対向させて配置し、この状態で発光素子３１を回路基板１０にコイルばね２９ａによって電気的に接続し、この発光素子３１で発光した光を液晶表示素子１２の側面から液晶表示素子１２の内部に入射させることにより、液晶表示素子１２を照明するように構成しても良い。このように構成すれば、表示装置８全体の薄型化をも図ることができる。
【００７７】
（実施形態４）
次に、図１４を参照して、この発明を電子腕時計に適用した実施形態４について説明する。この場合にも、図１〜図５に示された実施形態１と同一部分に同一符号を付して説明する。
この電子腕時計は、上面に凸形状のレンズ部２１が設けられたレンズパネル１３の下面に、装飾層として光透過性を有する金属層３２を設け、このレンズパネル１３の下側に面発光型のバックライト素子３３を配置した構造で、これ以外は実施形態１とほぼ同じ構造になっている。
【００７８】
すなわち、この金属層３２は、光透過性を有する金属薄膜の装飾層であり、肉眼では見えにくい微細な貫通孔を多数形成し、これら微細な貫通孔を光が透過すると共に、貫通孔以外の表面で光を反射することにより、半透過反射機能を有するように構成されている。また、バックライト素子３３は、ＥＬ発光素子（エレクトロルミネッセンス発光素子）などの面発光型の発光素子からなり、面発光した光が金属層３２、レンズパネル１３、およびレンズ部２１を透過して液晶表示素子１２をその下面側から照明するように構成されている。
【００７９】
このような電子腕時計によれば、実施形態１と同様、明るい所では外部光が腕時計ケース１内に採り込まれて表示装置８の液晶表示素子１２に照射されるので、液晶表示素子１２を駆動して時刻などの情報を表示すると、その表示された情報を時計ガラス２を通して腕時計ケース１の外部から視認することができる。すなわち、液晶表示素子１２を駆動して、一対の基板１４、１５の各透明電極１６、１７に選択的に電圧を印加すると、電圧が印加された透明電極１６、１７に対応する点灯領域が光透過状態となり、この点灯領域によって図５に示したように時刻などの情報が表示される。
【００８０】
このときには、液晶表示素子１２に照射された外部光が、点灯領域に対応する個所の液晶表示素子１２を透過してレンズパネル１３のレンズ部２１に照射され、この照射された光の一部が凸形状のレンズ部２１の表面で反射され、他の一部の光がレンズパネル１３を透過して金属層３２に照射され、この金属層３２で反射されてレンズ部２１から上方に拡散される。このレンズ部２１で拡散および反射された光が再び上記と逆の光路を経て液晶表示素子１２の上方に放射されるので、図５に示したように、点灯領域がレンズ部２１によって凸形状の立体で表示されると共に、この点灯領域が金属層３２によって金属調で表現される。これにより、液晶表示素子１２に表示された情報を金属調の立体で表現することができる。
【００８１】
また、暗い所では、バックライト素子３３を点灯させて面発光させると、その光が金属層３２を透過し、この透過した光がレンズパネル１３を透過して凸形状のレンズ部２１で拡散され、この拡散された光で液晶表示素子１２の下面が照明される。このため、液晶表示素子１２が駆動されて点灯領域が光透過状態となり、この点灯領域によって図５に示したように時刻などの情報が表示されるときにも、上記と同様、表示された情報が金属層３２によって金属調に着色されて表示されると共に、その表示された情報が凸形状のレンズ部２１によって立体的に表示される。このため、明るい所でも暗い所でも、液晶表示素子１２の点灯領域で表示された情報を金属調で立体的に表現することができ、これにより高級感のある装飾効果を付加することができるので、多彩な装飾効果を得ることができる。
【００８２】
（実施形態５）
次に、図１５および図１６を参照して、この発明を電子腕時計に適用した実施形態５について説明する。この場合には、図１４に示された実施形態４と同一部分に同一符号を付して説明する。
この電子腕時計は、液晶表示素子１２の上下の各偏光板１９、２０をその各吸収軸１９ａ、２０ａ（または透過軸）がほぼ平行になるように配置し、凸形状のレンズ部２１が設けられたレンズパネル１３の下面に偏光フィルム３４を配置した構造で、これ以外は実施形態４とほぼ同じ構造になっている。
【００８３】
この場合、液晶表示素子１２の上側の偏光板１９は、図１６（ａ）に示すように、その吸収軸１９ａが正面から見て左下から右上に向けてほぼ４５°の方向に傾いた状態で配置されており、下側の偏光板２０は、図１６（ｂ）に示すように、上側の偏光板１９と同様、その吸収軸２０ａが正面から見て左下から右上に向けてほぼ４５°の方向に傾いた状態で配置されている。これにより、上下の各偏光板１９、２０は、各吸収軸１９ａ、２０ａが互いにほぼ平行になるように配置されている。
【００８４】
また、偏光フィルム３４は、多層膜からなり、図１６（ｃ）に示すように、その吸収軸３４ａ、３４ｂが正面から見て上下の各偏光板１９、２０の各吸収軸１９ａ、２０ａに対してほぼ４５°傾いた状態で配置されている。すなわち、偏光フィルム３４は、その各吸収軸３４ａ、３４ｂのうち、一方の吸収軸３４ａが正面から見て吸収軸１９ａ、２０ａに対して時計回りにほぼ４５°傾いており、他方の吸収軸３４ｂが正面から見て吸収軸１９ａ、２０ａに対して反時計回りにほぼ４５°傾いた状態で配置されている。
【００８５】
このような電子腕時計によれば、実施形態４と同様、明るい所では外部光が腕時計ケース１内に採り込まれて液晶表示素子１２に照射されるので、液晶表示素子１２を駆動して、一対の基板１４、１５の各透明電極１６、１７に選択的に電圧を印加すると、電圧が印加された透明電極１６、１７に対応する点灯領域が光透過状態となり、この点灯領域によって図５に示したように時刻などの情報が表示される。このときには、液晶表示素子１２に照射された外部光のうち、点灯領域に照射された外部光のみが、その点灯領域の液晶表示素子１２を透過してレンズパネル１３のレンズ部２１に照射され、この照射された光の一部が凸形状のレンズ部２１の表面で反射され、他の一部の光がレンズ部２１およびレンズパネル１３を透過して偏光フィルム３４に照射される。
【００８６】
このときには、偏光フィルム３４の吸収軸３４ａ、３４ｂが上下の各偏光板１９、２０の各吸収軸１９ａ、２０ａに対してほぼ４５°傾いて交差しているので、偏光フィルム３４に照射された光のうち、一部の光は偏光フィルム３４で吸収されるが、他の光が偏光フィルム３４で反射され、この反射された光が金属調の光としてレンズ部２１から上方に拡散される。これにより、点灯領域がレンズ部２１によって凸形状の立体で表示されると共に、この点灯部分が偏光フィルム３４の反射によって金属調で表現される。このため、液晶表示素子１２に表示された情報を金属調で立体的に表現することができるので、実施形態４と同様、装飾性の高いものを得ることができる。
【００８７】
また、暗い所では、バックライト素子３３を面発光させると、その光が偏光フィルム３４をその吸収軸３４ａ、３４ｂに沿って透過し、この透過した光が金属調の光としてレンズパネル１３を透過してレンズ部２１で拡散され、この拡散された光で液晶表示素子１２の下面が照明される。このため、液晶表示素子１２が駆動されて点灯領域が光透過状態となると、この点灯領域に照射された光のうち、一部の光は反射されるが、他の光が透過することにより、図５に示したように時刻などの情報が表示される。このときには、上記と同様、偏光フィルム３４を透過した金属調の光によって情報が金属調で表示されると共に、その情報がレンズ部２１によって凸形状の立体で表示される。このため、明るい所でも暗い所でも、液晶表示素子１２の点灯領域で表示された情報を金属調で立体的に表現することができ、これにより高級感のある装飾効果を付加することができると共に、多彩な装飾効果を得ることができる。
【００８８】
なお、上記実施形態５では、偏光フィルム３４を、その吸収軸３４ａ、３４ｂが液晶表示素子１２の各偏光板１９、２０の各吸収軸１９ａ、２０ａに対しほぼ４５°傾くように配置した透過型の場合について述べたが、これに限らず、例えば偏光フィルム３４を、その吸収軸３４ａ、３４ｂが液晶表示素子１２の各偏光板１９、２０の各吸収軸１９ａ、２０ａに対しほぼ９０°傾くように配置した反射型の構造でも良い。このような構造でも、実施形態５とほぼ同様の効果がある。
【００８９】
（実施形態６）
次に、図１７を参照して、この発明を電子腕時計に適用した実施形態６について説明する。この場合にも、図１４に示された実施形態４と同一部分に同一符号を付して説明する。
この電子腕時計は、上面に凸形状のレンズ部２１が設けられたレンズパネル１３の下面に２層構造の装飾層３５を設け、この装飾層３５の下側にバックライト素子３３を配置した構造で、これ以外は実施形態４とほぼ同じ構造になっている。
【００９０】
すなわち、装飾層３５は、カラーインク層２８と金属層３２とを積層した２層構造になっている。カラーインク層２８は、実施形態３と同様、光透過性を有するものであり、レンズパネル１３の下面全体に設けられている。金属層３２は、実施形態４と同様、光透過性を有する金属薄膜の装飾層であり、肉眼では見えにくい微細な貫通孔が多数形成され、これら微細な貫通孔を光が透過すると共に、貫通孔以外の表面で光を反射することにより、半透過反射機能を有するように構成されている。また、バックライト素子３３は、実施形態４と同様、ＥＬ発光素子（エレクトロルミネッセンス発光素子）などの面発光型の発光素子からなり、面発光した光によって液晶表示素子１２を照明するように構成されている。
【００９１】
このような電子腕時計によれば、実施形態４と同様、明るい所でも暗い所でも、液晶表示素子１２の点灯領域が光透過状態となり、この点灯領域によって時刻などの情報を表示する際、その情報をレンズ部２１によって立体的に表現すると共に、装飾部３５によって色彩を加えて表現することができる。すなわち、明るい所では外部光が液晶表示素子１２の点灯領域、レンズ部２１、およびレンズパネル１３を順に透過し、この透過した光が装飾層３５に照射され、この照射された光が装飾層３５のカラーインク層２８を透過して金属層３２で反射されるので、装飾層３５のカラーインク層２８によってカラーで表示されると共に、金属層３２によって更に金属調で加飾されて表示される。
【００９２】
また、暗い所では、バックライト素子３３を点灯させて面発光させると、その光が装飾層３５の金属層３２を透過した上、カラーインク層２８で着色されて透過し、この透過した光がレンズパネル１３を透過してレンズ部２１で拡散されるので、実施形態４と同様、装飾層３５のカラーインク層２８によってカラーで表示されると共に、金属層３２によって更に金属調で加飾されて表示される。これにより、明るい所でも暗い所でも、液晶表示素子１２に表示された情報を金属調のカラーで立体的に表現することができ、このため実施形態４よりも、多彩な装飾効果が得られる。
【００９３】
なお、上記実施形態１〜６では、レンズパネル１３の上面にレンズ部２１を一体的に形成した場合について述べたが、これに限らず、例えば図１８に示すように、レンズパネル１３をエンボス加工によって凸形状のレンズ部２１を波形状に一体に形成しても良い。この場合には、レンズパネル１３が波形状に形成されるが、その下面に予め装飾層３６を設けておけば、レンズパネル１３の凹凸状に沿って装飾層３６を設けることができる。この場合、装飾層３６は、半透過型のカラーインク層２８と半透過型の金属層３２との少なくとも一方で構成されていれば良い。
【００９４】
また、これに限らず、例えば図１９に示すように、光透過性を有するシート２４に凸形状のレンズ部２１を一体に形成し、このシート２４をレンズパネル１３の上面に設けた構造でも良く、また図２０に示すように、凸形状のレンズ部２１をレンズパネル１３と別に形成し、このレンズ部２１をレンズパネル１３の上面にそれぞれ透明な接着剤３９で接着した構成でも良い。また、図２１に示すように、バックライト素子３３の上面に装飾層３６を設け、この装飾層３６の上面に紫外線硬化型樹脂のレンズ部２１を直接設けた構造でも良い。さらに、図２２（ａ）および図２２（ｂ）に示すように、凸形状のレンズ部２１の表面を微細な凹凸面３７に形成しても良い。
【００９５】
また、上記実施形態１〜６およびその各変形例では、凸形状のレンズ部２１を半円弧状に形成した場合について述べたが、これに限らず、図２３（ａ）および図２３（ｂ）に示すように、凸形状のレンズ部３８を台形状に形成しても良い。この場合にも、図２３（ａ）に示すようにレンズパネル１３に台形状のレンズ部３８を出射成形によって一体に形成しても良く、また図２３（ｂ）に示すように光透過性を有するシート２４に台形状のレンズ部３８を形成し、このシート２４をレンズパネル１３の上面に設けた構造でも良い。さらに、図２４（ａ）および図２４（ｂ）に示すように台形状のレンズ部３８の表面を微細な凹凸面３７に形成しても良い。この場合には、図２４（ａ）に示すように台形状のレンズ部３８の上面のみを微細な凹凸面３７に形成しても良く、また図２４（ｂ）に示すように台形状のレンズ部３８の側面のみを微細な凹凸面３７に形成しても良い。
【００９６】
（実施形態７）
次に、図２５を参照して、この発明を電子腕時計に適用した実施形態７について説明する。この場合にも、図１４に示された実施形態４と同一部分には同一符号を付して説明する。
この電子腕時計は、凸形状のレンズ部２１が上面に設けられたレンズパネル１３の上面に光透過性を有する装飾層３６を設け、この装飾層３６でレンズパネル１３の上面に形成されたレンズ部２１を覆った構造で、これ以外は実施形態４とほぼ同じ構造になっている。この場合、装飾層３６は、半透過型のカラーインク層と半透過型の金属層とのうち、例えば半透過型のカラーインク層からなり、カラー表示をするように構成されている。
【００９７】
このような電子腕時計によれば、実施形態４と同様、明るい所でも暗い所でも、液晶表示素子１２の点灯領域が光透過状態となり、この点灯領域によって時刻などの情報が表示するときに、レンズパネル１３に形成された凸形状のレンズ部２１によって立体的に表現すると共に、装飾層３６のカラーインク層によってカラーで表現することができる。このため、明るい所でも暗い所でも、液晶表示素子１２に表示された情報をカラーで立体的に表現することができ、これにより色彩的な装飾効果を付加することができるので、多彩な装飾効果を得ることができる。
【００９８】
なお、上記実施形態７では、装飾層３６が半透過型のカラーインク層で構成されている場合について述べたが、これに限らず、例えば肉眼では見えにくい微細な貫通孔を多数形成した金属薄膜からなる半透過型の金属層３２で装飾層３６を構成しても良い。このような金属層３２を用いれば、点灯領域を金属調で表現することができる。また、装飾層３６に代えて、例えば図２６に示すように、半透過型のカラーインク層２８と半透過型の金属層３２とを積層した２層構造の装飾層３５を用いても良い。このようにすれば、実施形態６と同様、点灯領域を２層構造の装飾層３５によって金属調のカラーで表現をすることができるので、より一層、多彩な装飾効果が得られる。
【００９９】
（実施形態８）
次に、図２７および図２８を参照して、この発明を電子腕時計に適用した実施形態８について説明する。この場合には、図２５に示された実施形態７と同一部分に同一符号を付して説明する。
この電子腕時計は、レンズパネル１３の上面に断面形状が台形状のレンズ部３８を設け、このレンズ部３８の上端面のみに装飾層４０を部分的に設けた構造で、これ以外は実施形態７とほぼ同じ構造になっている。すなわち、このレンズ部３８は、図２８に示すように、その断面形状が台形状で、レンズパネル１３の上面に出射成形によって一体に成形され、透明電極１６、１７同士が互いに対応する点灯領域に対応して設けられた構成になっている。また、装飾層４０は、半透過型のカラーインク層２８と半透過型の金属層３２とのうち、少なくとも一方で構成されている。
【０１００】
このような電子腕時計によれば、実施形態７と同様、明るい所でも暗い所でも、液晶表示素子１２の点灯領域が光透過状態となり、この点灯領域によって時刻などの情報を表示するときに、点灯領域による情報がレンズパネル１３のレンズ部３８によって台形状の立体で表示されると共に、装飾層４０によって情報がカラーまたは金属調で部分的に表示される。このため、明るい所でも暗い所でも、液晶表示素子１２に表示された情報そのものをカラーまたは金属調で立体的に表現することができるので、実施形態７と同様、色彩的な装飾効果を付加することができ、これにより多彩な装飾効果を得ることができる。
【０１０１】
なお、上記実施形態８では、断面形状が台形状のレンズ部３８の上端面のみに装飾層４０を部分的に設けた場合について述べたが、これに限らず、例えば図２９（ａ）に示すように、台形状のレンズ部３８の両側面のみに装飾層４０を部分的に設けた構造でも良い。また、図２９（ｂ）に示すように、台形状のレンズ部３８の上端面に第１装飾層４１を設け、台形状のレンズ部３８の両側面に第２装飾層４２を設けた構造でも良い。また、図２９（ｃ）に示すように、台形状のレンズ部３８の全表面に第１装飾層４１を設けると共に、台形状のレンズ部３８の上端面に対応する個所の第１装飾層４１上のみに第２装飾層４２を部分的に積層させた構造でも良い。このようないずれの構造においても、実施形態８と同様の効果があるほか、特に表示形態のバリエーションが豊富になり、より一層、多彩な装飾効果が得られる。
【０１０２】
（実施形態９）
次に、図３０を参照して、この発明を電子腕時計に適用した実施形態９について説明する。この場合にも、図１４に示された実施形態４と同一部分に同一符号を付して説明する。
この電子腕時計は、液晶表示素子１２の下側にバックライト素子３３を配置し、このバックライト素子３３の上面に凹凸形状の装飾層４５を設けた構造で、これ以外は実施形態４とほぼ同じ構造になっている。すなわち、この装飾層４５は、金属薄板４６に貫通孔４７を多数形成し、この金属薄板４６をプレス加工またがエンボス加工で凹凸状に形成することにより、断面形状が半円弧状のレンズ部４８を形成し、これらレンズ部４８を透明電極１６、１７同士が互いに対応する領域に対応させて設けた構成になっている。
【０１０３】
この場合、金属薄板４６は、その表面で外部光を反射する際、レンズ部４８の表面では外部光を放射状に反射するように構成されている。また、この金属薄板４６の貫通孔４７は、肉眼で見える比較的大きな孔径で、光を十分に透過すると共に、半円弧状のレンズ部４８に位置する部分では放射状に形成され、バックライト素子３３からの光を放射状に透過するように構成されている。これにより、レンズ部４８が実施形態４のレンズ部２１とほぼ同じレンズ機能を果たすように構成されている。
【０１０４】
このような電子腕時計によれば、金属薄板４６がその表面で外部光を反射すると共に、金属薄板４６の貫通孔４７を光が十分に透過するので、実施形態４と同様、明るい所でも暗い所でも、液晶表示素子１２の光透過状態となる点灯部分によって時刻などの情報を表示する際、点灯領域を装飾層４５の金属薄板４６の各レンズ部４８によって立体的に表現することができる。これにより、明るい所でも暗い所でも、液晶表示素子１２に表示された情報を金属調で立体的に表現することができるので、装飾効果を付加することができ、これにより多彩な装飾効果を得ることができる。
【０１０５】
（実施形態１０）
次に、図３１を参照して、この発明を電子腕時計に適用した実施形態１０について説明する。この場合にも、図１４に示された実施形態４と同一部分には同一符号を付して説明する。
この電子腕時計は、液晶表示素子１２の下面に凹形状のレンズ部５０を設け、バックライト素子３３の上面に装飾層３６を設けた構造で、これ以外は実施形態４とほぼ同じ構造になっている。すなわち、凹形状のレンズ部５０は、断面が半円弧状の凹部で、光透過性を有するシート２４に一体に形成され、このシート２４を液晶表示素子１２における下側の偏光板１９の下面に設けるときに、透明電極１６、１７同士が互いに対応する点灯領域に対応して配置される。また、装飾層３６は、実施形態８と同様、半透過型のカラーインク層２８または半透過型の金属層３２のいずれかで形成されている。
【０１０６】
このような電子腕時計によれば、実施形態４と同様、明るい所でも暗い所でも、液晶表示素子２５の点灯領域が光透過状態となり、この点灯領域によって時刻などの情報を表示するときに、点灯領域が液晶表示素子１２の下面に設けられたレンズ部５０によって凹形状の立体で表示される。このときには、装飾層３６によって点灯領域がカラーまたは金属調で表示されるので、明るい所でも暗い所でも、液晶表示素子１２に表示された情報をカラーまたは金属調で凹形状の立体で表現することができ、これにより実施形態４と同様、色彩的な装飾効果を付加することができるので、多彩な装飾効果を得ることができる。
【０１０７】
なお、上記実施形態１０では、バックライト素子３３の上面に装飾層３６を設けたが、これに限らず、例えば図３２に示すように、凹形状のレンズ部５０が設けられたシート２４の下面全体に装飾層３６を設けた構造でも良い。この場合には、シート２４の下面に予め装飾層３６を設け、この状態でシート２４をプレス加工によって凹形状のレンズ部５０を形成することにより、シート２４の凹凸状に沿って装飾層３６を設けても良い。このような構造でも、実施形態１０と同様の作用効果がある。
【０１０８】
（実施形態１１）
次に、図３３を参照して、この発明を電子腕時計に適用した実施形態１１について説明する。この場合にも、図１４に示された実施形態４と同一部分に同一符号を付して説明する。
この電子腕時計は、バックライト素子３３の上面に装飾層３６を設け、この装飾層３６上にレンズパネル１３を配置し、このレンズパネル１３の上面に凸形状のレンズ部２１を一体に設け、且つ液晶表示素子１２の下面に凹形状のレンズ部５０が設けられたシード２４を設けた構造で、これ以外は実施形態４とほぼ同じ構造になっている。
【０１０９】
この場合にも、装飾層３６は、実施形態８と同様、半透過型のカラーインク層２８または半透過型の金属層３２のいずれかで形成されている。また、凸形状のレンズ部２１は、レンズパネル１３の上面に断面が半円弧状の凸形状に一体に形成され、液晶表示素子１２の透明電極１６、１７同士が互いに対応する領域に対応して配置されるように構成されている。一方、凹形状のレンズ部５０は、断面形状が半円弧状で、シート２４に形成され、このシート２４を液晶表示素子１２における下側の偏光板１９の下面に設けるときに、液晶表示素子１２の透明電極１６、１７同士が互いに対応する領域に対応すると共に、レンズパネル１３のレンズ部２１にも対応して配置されるように構成されている。
【０１１０】
このような電子腕時計によれば、実施形態４と同様、明るい所でも暗い所でも、液晶表示素子１２の点灯領域が光透過状態となり、この点灯領域によって時刻などの情報を表示するときに、点灯領域が液晶表示素子１２の下面に設けられた凹形状のレンズ部５０と、バックライト素子３３に配置されたレンズパネル１３の凸形状のレンズ部２１とによって、複合化された立体で表示される。このときにも、装飾層３６によって点灯領域がカラーまたは金属調で表示されるので、明るい所でも暗い所でも、液晶表示素子１２に表示された情報を、カラーまたは金属調で、且つ凹形状のレンズ部５０と凸形状のレンズ部２１とによる複合化された立体で表現することができ、このため実施形態１０よりも、装飾性および色彩性のバリエーションが豊富になり、より一層、装飾性の高いものを得ることができる。
【０１１１】
なお、上記実施形態１１では、バックライト素子３３の上面とレンズパネル１３の下面との間に装飾層３６を設けた構成であるが、これに限らず、例えば図３４に示すように、凹形状のレンズ部５０が設けられたシート２４の下面全体にも装飾層３６を設けてた構成でも良い。この場合、装飾層３６は、半透過型のカラーインク層からなり、凹形状のレンズ部５０の底部に位置する個所、つまり凸形状のレンズ部２１の上端部分に対応する個所に開口部３６ａを形成した構成になっている。このように構成すれば、実施形態１１と同様の作用効果があるほか、特にレンズパネル１３の下面の装飾層３６と凹形状のレンズ部５０が設けられたシート２４の下面全体の装飾層３６との両方によって色彩的な装飾効果が付加されるので、より一層、多彩な装飾効果を得ることができると共に、装飾層３６に開口部３６ａが設けられているので、液晶表示素子１２に表示された情報を明るくすることができる。
【０１１２】
（実施形態１２）
次に、図３５を参照して、この発明を電子腕時計に適用した実施形態１２について説明する。この場合にも、図１４に示された実施形態４と同一部分に同一符号を付して説明する。
この電子腕時計は、液晶表示素子１２における上側の偏光板１９の上面に凸形状のレンズ部２１を設け、下側の基板１５と下側の偏光板２０との間に装飾層３６を設けた構造で、これ以外は実施形態４とほぼ同じ構造になっている。この場合にも、凸形状のレンズ部２１は、実施形態１と同様、紫外線硬化樹脂によって断面形状が半円弧形状に形成され、液晶表示素子１２の透明電極１６、１７同士が互いに対応する領域に対応して設けられている。また、装飾層３６は、半透過型のカラーインク層２８からなり、液晶表示素子１２の表示領域に対応する個所に設けられている。
【０１１３】
このような電子腕時計においても、実施形態４と同様、明るい所でも暗い所でも、液晶表示素子１２の点灯領域が光透過状態となり、この点灯領域によって時刻などの情報を表示するときに、点灯領域が液晶表示素子１２の上面に設けられた凸形状のレンズ部２１によって立体的に表示される。このときにも、装飾層３６によって点灯領域がカラーで表示されるので、明るい所でも暗い所でも、液晶表示素子１２に表示された情報をカラーで立体的に表現することができ、このため実施形態４と同様、色彩的な装飾効果を付加することができるので、多彩な装飾効果を得ることができる。
【０１１４】
（実施形態１３）
次に、図３６を参照して、この発明を電子腕時計に適用した実施形態１３について説明する。この場合にも、図１４に示された実施形態４と同一部分に同一符号を付して説明する。
この電子腕時計は、液晶表示素子１２における上側の偏光板１９の上面に凸形状のレンズ部２１を設け、下側の偏光板２０の下面に凹形状のレンズ部５０を設け、バックライト素子３３の上面に装飾層３６を設けた構造で、これ以外は実施形態４とほぼ同じ構造になっている。
【０１１５】
この場合にも、凸形状のレンズ部２１は、実施形態１２と同様、紫外線硬化樹脂によって断面形状が半円弧形状に形成され、液晶表示素子１２の透明電極１６、１７同士が互いに対応する領域に対応して設けられている。また、凹形状のレンズ部５０は、断面が半円弧状の凹部で、シート２４に形成され、このシート２４を液晶表示素子１２における下側の偏光板２０の下面に設けた構成になっている。この場合、シート２４は、凹形状のレンズ部５０を凸形状のレンズ部２１にそれぞれ対応させた状態で、下側の偏光板２０の下面に設けられている。また、装飾層３６は、実施形態８と同様、半透過型のカラーインク層２８または半透過型の金属層３２のいずれかで形成されている。
【０１１６】
このような電子腕時計によれば、実施形態４と同様、明るい所でも暗い所でも、液晶表示素子１２の点灯領域が光透過状態となり、この点灯領域によって時刻などの情報を表示するときに、点灯領域が、液晶表示素子１２の上面に設けられた凸形状のレンズ部２１と、液晶表示素子１２の下面に設けられた凹形状のレンズ部５０とによって、複合化された立体的な表示形態で表示される。このときにも、装飾層３６によって点灯領域がカラーまたは金属調で表示されるので、明るい所でも暗い所でも、液晶表示素子１２に表示された情報を、カラーまたは金属調で、且つ凸形状のレンズ部２１と凹形状のレンズ部５０とにより複合化された立体で表現することができ、これにより実施形態１２よりも、装飾性および色彩性のバリエーションが豊富になり、より一層、多彩な装飾効果を得ることができる。
【０１１７】
（実施形態１４）
次に、図３７を参照して、この発明を電子腕時計に適用した実施形態１４について説明する。この場合にも、図１４に示された実施形態４と同一部分に同一符号を付して説明する。
この電子腕時計は、液晶表示素子５５が高分子分散型の構造で、これ以外は実施形態４とほぼ同じ構造になっている。すなわち、この液晶表示素子５５は、上下一対の透明な基板１４、１５の間に液晶ポリマー５６を封止材１８ａで囲んで封入し、透明電極１６、１７同士が互いに対向する点灯領域が電圧印加時に光透過状態となるネガテイブタイプに構成されている。この場合にも、バックライト素子３３の上面には、装飾層３６を介してレンズパネル１３が配置されており、このレンズパネル１３の上面には、断面形状が半円弧状の凸形状のレンズ部２１が液晶表示素子５５の点灯領域、つまり透明電極１６、１７同士が互いに対応する領域に対応して設けられている。
【０１１８】
このような電子腕時計においても、実施形態４と同様、明るい所でも暗い所でも、液晶表示素子５５の点灯領域が光透過状態となり、この点灯領域によって時刻などの情報を表示するときに、点灯領域がバックライト素子３３の上側に配置された凸形状のレンズ部２１によって立体的に表示される。このときにも、装飾層３６によって点灯領域がカラーまたは金属調で表示されるので、明るい所でも暗い所でも、液晶表示素子５５に表示された情報をカラーまたは金属調で立体的に表現することができる。これにより、実施形態４と同様、多彩な装飾効果を得ることができるほか、特に液晶表示素子５５が液晶ポリマー５６を用いた高分子分散型の構造であるから、実施形態４の液晶表示素子１２のような偏光板１９、２０を用いずに情報を表示することができ、このため表示全体を明るくすることができる。
【０１１９】
なお、上記実施形態１４では、液晶表示素子５５をネガテイブタイプに構成した場合について述べたが、これに限らず、例えば液晶表示素子５５をポジテイブタイプに構成しても良い。この場合には、上下一対の透明な基板１４、１５の間に上記と性質の異なる液晶ポリマー５６を封入し、透明電極１６、１７同士が互いに対向する点灯領域に電圧を印加したときに、光を遮断する光遮断状態となるポジテイブタイプに構成すれば良い。この場合には、実施形態２と同様、非点灯領域に対応する個所に緩やかに盛り上がる凸形状のレンズ部２６および絵柄が表示された装飾層２７を設ければ良い。このような構造にすれば、実施形態２と同様、液晶表示素子５５に表示された情報を黒く表示するときに、その背景部分にレンズ部２６によって装飾層３６の絵柄を緩やかに盛り上がる立体で表現することができる。
【０１２０】
また、上記実施形態１４およびその変形例では、レンズパネル１３に凸形状のレンズ部２１または２６を設けたが、これに限らず、図２１に示したように装飾層３６上に紫外線硬化型樹脂からなる凸形状のレンズ部２１を直接設けても良く、また必ずしも凸形状のレンズ部２１である必要はなく、図３１および図３２に示した実施形態１０およびその変形例と同様、液晶表示素子５５の下面つまり下側の基板１５の下面に凹形状のレンズ部５０を設けても良い。また、図３３および図３４に示した実施形態１１およびその変形例と同様、バックライト素子３３側に凸形状のレンズ部２１を設け、液晶表示素子５５の下面に凹形状のレンズ部５０を設け、これらを互いに対応させて配置しても良い。さらに、図３６に示した実施形態１３と同様に、液晶表示素子５５の上面に凸形状のレンズ部２１を設け、液晶表示素子５５の下面に凹形状のレンズ部５０を設けても良い。
【０１２１】
（実施形態１５）
次に、図３８〜図４１を参照して、この発明を電子腕時計に適用した実施形態１５について説明する。この場合にも、図１４に示された実施形態４と同一部分に同一符号を付して説明する。
この電子腕時計は、液晶表示素子１２の下側に配置されるレンズパネル１３に半球状のレンズ部５７をドット状に複数形成すると共に、このレンズ部５７に対応する個所を除いたレンズパネル１３の上面に半透過型のカラーインク層５８を設けた構造で、これ以外は実施形態４とほぼ同じ構造になっている。
【０１２２】
この場合、レンズパネル１３は、バックライト素子３３上に半透過型の金属層３２を介して配置されており、レンズ部５７は、図３８および図４０に示すように、液晶表示素子１２の透明電極１６、１７同士が互いに対応する領域、つまり点灯領域に対応する部分にドット状に複数配列されている。また、カラーインク層５８は、レンズ部５７と同様、液晶表示素子１２の透明電極１６、１７同士が互いに対応する領域、つまり点灯領域に対応する部分のレンズパネル１３の上面にレンズ部５７を除いて設けられている。このカラーインク層５８は、液晶表示素子１２の上下の各偏光板１９、２０によって表示画面全体が着色されている場合、それと同色系か、または異なる色の補色系かに着色されていることが望ましい。
【０１２３】
すなわち、カラーインク層５８が液晶表示素子１２の表示画面と同色系の場合には、液晶表示素子１２が駆動されて情報を表示したときに、図４１に示すように、その点灯領域が複数配列されたレンズ部５７によってドット状の立体で表示される。また、カラーインク層５８が液晶表示素子１２の表示画面と異なる色の補色系の場合には、液晶表示素子１２が駆動されて情報を表示したときに、その点灯領域がカラーインク層５８によって点灯領域の背景と異なる色に着色されると共に、この着色された点灯領域が複数のレンズ部５７によってドット状の立体で表示される。なお、レンズパネル１３の下面には、金属薄膜からなる半透過型の金属層３２が設けられている。
【０１２４】
このような電子腕時計においても、明るい所でも暗い所でも、液晶表示素子１２の点灯領域が光透過状態となり、この点灯領域によって時刻などの情報を表示するときに、図４１に示すように、点灯領域がレンズ部５７によってドット状の立体で表示される。このときには、レンズパネル１３の下面に設けられた金属層３２によって金属調に表示されると共に、カラーインク層５８によって点灯領域が金属調のカラーまたは金属調のみで表示される。これにより、液晶表示素子１２に表示された情報を金属調のカラーまたは金属調のみでドット状の立体で表現することができる。
【０１２５】
この場合、カラーインク層５８が液晶表示素子１２の表示画面と同色系の場合には、図４１に示すように、点灯領域が複数のレンズ部５７によってドット状の立体で且つ金属調で表示される。また、カラーインク層５８が液晶表示素子１２の表示画面と異なる色の補色系の場合には、カラーインク層５８によって点灯領域がその背景部分と異なる色で着色されると共に、この着色された点灯領域が複数のレンズ部５７によってドット状の立体で金属調に表示される。このため、明るい所でも暗い所でも、液晶表示素子１２に表示された情報を金属調のカラーで且つドット状の立体で表現することができ、これにより多彩な装飾効果を得ることができる。
【０１２６】
なお、上記実施形態１５では、カラーインク層５８をレンズパネル１３の上面に設けたが、これに限らず、例えば図４２に示すように、液晶表示素子１２の下面つまり下側の偏光板２０の下面にカラーインク層５８を設けても良い。この場合にも、カラーインク層５８は、液晶表示素子１２の透明電極１６、１７同士が互いに対応する領域つまり点灯領域に対応する部分に位置するレンズ部５７に対応する部分を除いて設けられている。また、このカラーインク層５８も、実施形態１５と同様、液晶表示素子１２の上下の各偏光板１９、２０によって表示画面全体が着色されている場合、それと同色系か、または異なる色の補色系かに着色されていることが望ましい。
【０１２７】
また、上記第１〜第１５実施形態およびその各変形例では、レンズパネル１３および凸形状のレンズ部２１、２６、５７が透明または半透明に構成されているが、これに限らず、例えば図４３に示すように、レンズパネル１３およびレンズ部２１、２６、５７の全てを半透過状態で着色することにより、液晶表示素子１２（または２５、５５）をカラーで表現するように構成しても良く、また図４４に示すように、凸形状のレンズ部２１、２６、５７のみを半透過状態で着色することにより、液晶表示素子１２（または２５、５５）をカラーで表現するように構成しても良い。
【０１２８】
なおまた、上記第１〜第１５実施形態およびその各変形例では、同一平面に同一形状の凸形状のレンズ部２１、２６、３８、５７または凹形状のレンズ部２３、５０を設けたが、これに限らず、例えば図４５（ａ）〜図４５（ｃ）に示すように、異なる形状または異なる色の複数種類の凸形状のレンズ部を組み合わせて平面的に設けても良い。例えば、図４５（ａ）に示すように、レンズパネル１３の上面に断面形状がほぼ台形状の第１レンズ部６０を所定間隔で設け、これら第１レンズ部６０の間に着色された第２レンズ部６１を設けた構造でも良い。
【０１２９】
また、図４５（ｂ）に示すように、レンズパネル１３の上面に断面形状が半円弧状の第１レンズ部６２を所定間隔で設け、これら第１レンズ部６２間に断面形状が半円弧状の着色された第２レンズ部６３を設けると共に、断面形状が台形状の第３レンズ部６４を所定間隔で設け、これら第３レンズ部６４間に断面形状が台形状の異なる色で着色された第４レンズ部６５を設けた構造でも良い。
【０１３０】
また、図４５（ｃ）に示すように、レンズパネル１３の上面に断面形状がほぼ台形状の第１レンズ部６０を所定間隔で設け、これら第１レンズ部６０のうち、一部の第１レンズ部６０の間にそれよりも高さが高いほぼ台形状の着色された第２レンズ部６６を設けると共に、他の第１レンズ部６０の間にそれよりも高さが高く且つ異なる色で着色された半円弧状の第３レンズ部６７を設けた構造でも良い。このようないずれの構成においても、形状および色の異なる複数のレンズ部６０〜６７によって複合化された立体的な表示形態が得られるので、より一層、装飾性および色彩性に富んだ多彩な装飾効果が得られる。
【０１３１】
さらに、上記第１〜第１５実施形態およびその各変形例では、凸形状のレンズ部２１、２６、３８、５７または凹形状のレンズ部２３、５０を平面的に設けたが、これに限らず、例えば図４６（ａ）〜図４６（ｃ）に示すように、異なる形状または異なる色の複数種類のレンズ部を積層させた構造でも良い。例えば、図４６（ａ）に示すように、レンズパネル１３上に断面形状が台形状の第１レンズ部７０を複数設け、これら第１レンズ部７０のうち、一部の第１レンズ部７０上にそれよりも小さい断面形状が台形状の着色された第２レンズ部７１を設け、他の第１レンズ部７０上にそれよりも小さい断面形状が半円弧状の着色された第３レンズ部７２を設けた構造でも良い。
【０１３２】
また、図４６（ｂ）に示すように、レンズパネル１３上に上面が凹部状に形成された第１レンズ部７３を複数設け、これら第１レンズ部７３のうち、一部の第１レンズ部７３上にそれよりも小さい断面形状が台形状の着色された第２レンズ部７４を設け、他の第１レンズ部７３上にそれよりも小さい断面形状が半円弧状の着色された第３レンズ部７５を設けた構造でも良い。
【０１３３】
さらに、図４６（ｃ）に示すように、レンズパネル１３上に断面形状が台形状の着色された第１レンズ部７６と断面形状が半円弧状の着色された第２レンズ部７７とを設け、これら第１、第２レンズ部７６、７７の表面をそれぞれ透明な第３レンズ部７８で覆った構造でも良い。このようないずれの構成においても、形状および色の異なる複数のレンズ部７０〜７８によって複合化された立体的な表示形態が得られるので、より一層、装飾性および色彩性に富んだ多彩な装飾効果を得ることができる。
【０１３４】
（実施形態１６）
次に、図４７〜図４９を参照して、この発明に係る表示装置の製造方法を電子腕時計に適用した実施形態１６について説明する。この場合には、図１４に示された実施形態４と同一部分に同一符号を付して説明する。
この電子腕時計における表示装置８の製造方法は、まず、図４７に示すように、第１工程でレンズパネル１３の上面にレンズ部２１を形成すると共に、このレンズパネル１３の下面に金属層３２を設ける。
【０１３５】
すなわち、第１工程では、図４７に示すように、複数のレンズパネル１３が配列可能な大きさのベースパネル８０を用意し、このベースパネル８０の下面全域に亘って金属板８１を接着し、この状態で複数のレンズパネル１３に対応する各領域にそれぞれレンズ部２１を形成する。このときには、各レンズパネル１３ごとに切断用の位置合わせマークを設けておくことが望ましい。そして、レンズ部２１が形成されたベースパネル８０を各領域ごとに金属板８１と共に分割する。これにより、下面に金属層３２が設けられたレンズパネル１３を一度に複数形成する。
【０１３６】
この場合、レンズパネル１３にレンズ部１３を形成する際には、図４８（ａ）に示すようにレンズパネル１３の成形時にレンズ部２１を同時に一体成形する方法、図４８（ｂ）に示すようにレンズパネル１３上に紫外線硬化樹脂を印刷によって肉盛して塗布した後、紫外線を照射させて硬化させることによりレンズ部２１を形成する方法、および図４８（ｃ）に示すようにレンズパネル１３をエンボス加工してレンズ部２１を一体に加工する方法などがあり、これらのいずれかの方法で形成すれば良い。
【０１３７】
次に、図４９に示すように、第２工程でレンズパネル１３および金属層３２を液晶表示素子１２の下側に位置合わせして配置する。この第２工程では、レンズパネル１３に設けられたレンズ部２１を液晶表示素子１２の透明電極１６、１７同士が互いに対応する点灯領域にレンズ部２１を対応させ、この状態でレンズパネル１３を液晶表示素子１２の下側に位置合わせする。これにより、表示装置８を精度良く良好に且つ容易に製作することができる。
【０１３８】
なお、上記第１〜第１６実施形態およびその各変形例では、電子腕時計に適用した場合について述べたが、これに限らず、例えば図５０に示したトラベルウォッチ８５などの時計や、図５１に示した電卓８６、あるいは図５２に示した携帯電話機８７などにも適用することができるほか、電子辞書や電子手帳などの電子機器、または自動車の計器類などの各種の機器にも広く適用することができる。
【図面の簡単な説明】
【０１３９】
【図１】この発明を電子腕時計に適用した要部の拡大断面図である。（実施形態１）
【図２】図１の表示装置を示した要部の拡大断面図である。
【図３】図２の液晶表示素子の表示パターンを示した拡大正面図である。
【図４】図２のレンズパネルを示した拡大正面図である。
【図５】図２の液晶表示素子による表示状態を示した拡大正面図である。
【図６】図２の凸形状のレンズ部に代えて凹形状のレンズ部を用いた表示装置の変形例を示した要部の拡大断面図である。
【図７】この発明を適用した電子腕時計の表示装置を示した要部の拡大断面図である。（実施形態２）
【図８】図７の液晶表示素子の表示パターンを示した拡大正面図である。
【図９】図７のレンズパネルを示し、（ａ）はその正面側を示した拡大図、（ｂ）はその裏面側を示した拡大図である。
【図１０】図７の液晶表示素子による表示状態を示した拡大正面図である。
【図１１】図７のレンズパネルの上面に装飾層を設け、この装飾層上にレンズ部を設けた実施形態２の変形例を示した要部の拡大断面図である。
【図１２】この発明を電子腕時計に適用した要部の拡大断面図である。（実施形態３）
【図１３】図１２のバックライト装置の変形例を示した電子腕時計の要部の拡大断面図である。
【図１４】この発明を適用した電子腕時計の表示装置を示した要部の拡大断面図である。（実施形態４）
【図１５】この発明を適用した電子腕時計の表示装置を示した要部の拡大断面図である。（実施形態５）
【図１６】図１５の表示装置の吸収軸を示し、（ａ）は上側の偏光板の吸収軸を示した拡大正面図、（ｂ）は下側の偏光板の吸収軸を示した拡大正面図、（ｃ）は偏光フィルムの吸収軸を示した拡大正面図である。
【図１７】この発明を適用した電子腕時計の表示装置を示した要部の拡大断面図である。（実施形態６）
【図１８】図１７のレンズパネルにレンズ部をエンボス加工で形成した変形例を示した表示装置の拡大断面図である。
【図１９】図１７のレンズ部をシートに形成し、このシートをレンズパネルに設けた場合の変形例を示した要部の拡大断面図である。
【図２０】図１７のレンズパネルにレンズ部を接着剤で接着した場合の変形例を示した表示装置の拡大断面図である。
【図２１】図１７のバックライト素子の上面に装飾層を設け、この装飾層上にレンズ部を形成した場合の変形例を示した表示装置の拡大断面図である。
【図２２】レンズ部の表面に微細な凹凸部を形成した変形例を示し、（ａ）はレンズパネルにレンズ部が一体に形成された場合の拡大断面図、（ｂ）はシートにレンズ部を形成してレンズパネル上に設けた場合の拡大断面図である。
【図２３】レンズ部を台形状に形成した変形例の要部を示し、（ａ）はレンズパネルに台形状のレンズ部を一体に形成した場合の拡大断面図、（ｂ）はシートに台形状のレンズ部を形成してレンズパネル上に設けた場合の拡大断面図である。
【図２４】図２３に示された台形状のレンズ部の表面に微細な凹凸を形成した変形例の要部を示し、（ａ）は台形状のレンズ部の上面のみに微細な凹凸を形成した場合の拡大断面図、（ｂ）は台形状のレンズ部の両側面のみに微細な凹凸を形成した場合の拡大断面図である。
【図２５】この発明を適用した電子腕時計の表示装置を示した要部の拡大断面図である。（実施形態７）
【図２６】図２５の装飾層に代えて２層構造の装飾層を設けた変形例を示した表示装置の拡大断面図である。
【図２７】この発明を適用した電子腕時計の表示装置を示した要部の拡大断面図である。（実施形態８）
【図２８】図２７のレンズ部を示した拡大断面図である。
【図２９】レンズパネルの上面に設けられた台形状のレンズ部に装飾層を部分的に設けた各変形例を示し、（ａ）は台形状のレンズ部の両側面のみに装飾層を設けた場合の拡大断面図、（ｂ）は台形状のレンズ部の上面および側面に異なる装飾層を設けた場合の拡大断面図、（ｃ）は台形状のレンズ部の表面に第１装飾層を設け、この台形状のレンズ部の上端面に対応する第１装飾層上に第２装飾層を設けた場合の拡大断面図である。
【図３０】この発明を適用した電子腕時計の表示装置を示した要部の拡大断面図である。（実施形態９）
【図３１】この発明を適用した電子腕時計の表示装置を示した要部の拡大断面図である。（実施形態１０）
【図３２】図３１の凹形状のレンズ部の下面全体に装飾層を設けた場合の変形例を示した表示装置の拡大断面図である。
【図３３】この発明を適用した電子腕時計の表示装置を示した要部の拡大断面図である。（実施形態１１）
【図３４】図３３の凹形状のレンズ部の下面全体に装飾層を設けた場合の変形例を示した表示装置の拡大断面図である。
【図３５】この発明を適用した電子腕時計の表示装置を示した要部の拡大断面図である。（実施形態１２）
【図３６】この発明を適用した電子腕時計の表示装置を示した要部の拡大断面図である。（実施形態１３）
【図３７】この発明を適用した電子腕時計の表示装置を示した要部の拡大断面図である。（実施形態１４）
【図３８】この発明を適用した電子腕時計の表示装置を示した要部の拡大断面図である。（実施形態１５）
【図３９】図３８の液晶表示素子の表示パターンを示した拡大正面図である。
【図４０】図３８のレンズパネルを示した拡大正面図である。
【図４１】図３８の液晶表示素子による表示状態を示した拡大正面図である。
【図４２】図３８のカラーインク層を液晶表示素子の下面に設けた場合の変形例を示した表示装置の拡大断面図である。
【図４３】レンズパネルおよびレンズ部を半透過状態で着色した場合の変形例を示した表示装置の拡大断面図である。
【図４４】レンズ部のみを着色した場合の変形例を示した表示装置の拡大断面図である。
【図４５】レンズパネルの上面に形状や色の異なる複数種類のレンズ部を平面的に設けた各変形例を示し、（ａ）は第１レンズ部の間に着色された第２レンズ部を設けた場合の拡大断面図、（ｂ）は半円弧状の第１レンズ部の間に半円弧状で着色された第２レンズ部を設け、台形状の第３レンズ部の間に台形状で着色された第４レンズ部を設けた場合の拡大断面図、（ｃ）は台形状の第１レンズ部の間に高さの高い台形状の着色された第２レンズ部を設け、台形状の第１レンズ部の間に高さの高い半円弧状の着色された第３レンズ部を設けた場合の拡大断面図である。
【図４６】レンズパネルの上面に形状や色の異なる複数種類のレンズ部を積層した各変形例を示し、（ａ）は複数の台形状の第１レンズ部のうち、一部の第１レンズ部の上面に着色された台形状の第２レンズ部を設け、他の第１レンズ部の上面に着色された半円弧状の第３レンズ部を設けた場合の拡大断面図、（ｂ）は上面が凹部状に形成された複数の第１レンズ部のうち、一部の第１レンズ部の上面に着色された台形状の第２レンズ部を設け、他の第１レンズ部の上面に着色された半円弧状の第３レンズ部を設けた場合の拡大断面図、（ｃ）は着色された台形状の第１レンズ部と着色された半円弧状の第２レンズ部とをそれぞれ透明な第３レンズ部で覆った場合の拡大断面図である。
【図４７】この発明の製造方法でレンズパネルを製造する状態を示した斜視図である。（実施形態１６）
【図４８】図４７のレンズパネルにレンズ部を形成方法を示し、（ａ）はレンズパネルにレンズ部を射出成形で一体に形成した場合を示した要部の拡大断面図、（ｂ）はレンズパネルに紫外線硬化樹脂のレンズ部を印刷によって設けた場合の要部の拡大断面図、（ｃ）はレンズパネルをエンボス加工してレンズ部を設けた要部の拡大断面図である。
【図４９】図４７で製造されたレンズパネルを液晶表示素子の下側に位置合わせして配置した状態を示した表示装置の拡大断面図である。
【図５０】この発明の表示装置を適用したトラベルウォッチの斜視図である。
【図５１】この発明の表示装置を適用した電卓の斜視図である。
【図５２】この発明の表示装置を適用した携帯電話機の斜視図である。
【符号の説明】
【０１４０】
１  腕時計ケース
２  時計ガラス
３  時計モジュール
８  表示装置
１２、２５、５５  液晶表示素子
１３  レンズパネル
１４、１５  透明な基板
１６、１７  透明電極
１８  液晶
１９、２０  偏光板
２１、２６、３８、４８、５７  凸形状のレンズ部
２３、５０  凹形状のレンズ部
２４  シート
２７、３５、３６、４０、４５  装飾層
２８、５８  カラーインク層
２９  バックライト装置
３２  金属層
３３  バックライト素子
３４  偏光フィルム
４１  第１装飾層
４２  第２装飾層
５６  液晶ポリマー
６０、６２、７０、７３、７６  第１レンズ部
６１、６３、６６、７１、７４、７７  第２レンズ部
６４、６７、７２、７５、７８  第３レンズ部
６５  第４レンズ部
８５  トラベルウォッチ
８６  電卓
８７  携帯電話機
【図１】
2005031641.tif 000003
【図２】
2005031641.tif 000004
【図３】
2005031641.tif 000005
【図４】
2005031641.tif 000006
【図５】
2005031641.tif 000007
【図６】
2005031641.tif 000008
【図７】
2005031641.tif 000009
【図８】
2005031641.tif 000010
【図９】
2005031641.tif 000011
【図１０】
2005031641.tif 000012
【図１１】
2005031641.tif 000013
【図１２】
2005031641.tif 000014
【図１３】
2005031641.tif 000015
【図１４】
2005031641.tif 000016
【図１５】
2005031641.tif 000017
【図１６】
2005031641.tif 000018
【図１７】
2005031641.tif 000019
【図１８】
2005031641.tif 000020
【図１９】
2005031641.tif 000021
【図２０】
2005031641.tif 000022
【図２１】
2005031641.tif 000023
【図２２】
2005031641.tif 000024
【図２３】
2005031641.tif 000025
【図２４】
2005031641.tif 000026
【図２５】
2005031641.tif 000027
【図２６】
2005031641.tif 000028
【図２７】
2005031641.tif 000029
【図２８】
2005031641.tif 000030
【図２９】
2005031641.tif 000031
【図３０】
2005031641.tif 000032
【図３１】
2005031641.tif 000033
【図３２】
2005031641.tif 000034
【図３３】
2005031641.tif 000035
【図３４】
2005031641.tif 000036
【図３５】
2005031641.tif 000037
【図３６】
2005031641.tif 000038
【図３７】
2005031641.tif 000039
【図３８】
2005031641.tif 000040
【図３９】
2005031641.tif 000041
【図４０】
2005031641.tif 000042
【図４１】
2005031641.tif 000043
【図４２】
2005031641.tif 000044
【図４３】
2005031641.tif 000045
【図４４】
2005031641.tif 000046
【図４５】
2005031641.tif 000047
【図４６】
2005031641.tif 000048
【図４７】
2005031641.tif 000049
【図４８】
2005031641.tif 000050
【図４９】
2005031641.tif 000051
【図５０】
2005031641.tif 000052
【図５１】
2005031641.tif 000053
【図５２】
2005031641.tif 000054